【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
機械実行可能命令を格納するメモリと、
医療用画像診断システムを制御するプロセッサとを備え、前記機械実行可能命令の実行によって前記プロセッサが、
被験体の関心領域のタグ付きＡＳＬ強度画像を受信し、
前記被験体の前記関心領域の対照ＡＳＬ強度画像を受信し、
前記タグ付きＡＳＬ強度画像を前記対照ＡＳＬ強度画像から差し引くことによって動脈画像を構築し、
前記動脈画像の動脈を特定することによって、前記動脈画像を使用して動脈マスクを構築し、
前記被験体の前記関心領域の少なくとも一部分の位相コントラスト磁気共鳴画像を受信し、
前記動脈マスク内である前記関心領域の前記少なくとも一部分内の前記位相コントラスト磁気共鳴画像のボクセルを、所定の背景値に設定することによって、静脈画像を少なくとも部分的に構築する、医療用画像診断システム。
【請求項２】
前記機械実行可能命令の実行によって更に、前記プロセッサが、前記動脈マスク外である前記関心領域の前記少なくとも一部分内の前記位相コントラスト磁気共鳴画像のボクセルを、所定の背景値に設定することによって、選択的位相コントラスト動脈画像を少なくとも部分的に構築する、請求項１に記載の医療用画像診断システム。
【請求項３】
前記機械実行可能命令の実行によって、前記プロセッサが、前記動脈画像及び前記静脈画像を組み合わせて複合画像にすることによって、複合画像を計算する、請求項２に記載の医療用画像診断システム。
【請求項４】
前記医療用画像診断システムが磁気共鳴画像診断システムであり、前記メモリが位相コントラストパルスシーケンスコマンドを更に収容し、前記メモリがタグ付けパルスシーケンスコマンドを更に収容し、前記メモリが制御パルスシーケンスコマンドを更に収容し、前記タグ付けパルスシーケンスコマンドが、前記被験体内のタグ付け位置をスピンラベリングするタグ付け反転パルス部分を含み、前記制御パルスシーケンスコマンドが制御反転パルス部分を含み、前記位相コントラストパルスシーケンスコマンドが位相コントラスト読出し部分を含み、前記位相コントラスト読出し部分が少なくとも１つの方向の位相コントラスト符号化を含み、前記機械実行可能命令の実行によって更に、前記プロセッサが、
前記タグ付けパルスシーケンスコマンドを用いて前記磁気共鳴画像診断システムを制御することによって、タグ付き磁気共鳴データを獲得し、
前記制御パルスシーケンスコマンドを用いて前記磁気共鳴画像診断システムを制御することによって、対照磁気共鳴データを獲得し、
前記タグ付きＡＳＬ強度画像を再構築することによって受信される前記タグ付きＡＳＬ強度画像を、前記タグ付き磁気共鳴データを使用して再構築し、
前記対照ＡＳＬ強度画像を再構築することによって受信される前記対照ＡＳＬ強度画像を、前記対照磁気共鳴データを使用して再構築し、
前記位相コントラストパルスシーケンスコマンドを用いて前記磁気共鳴画像診断システムを制御することによって、位相コントラスト磁気共鳴データを獲得し、
前記少なくとも１つの方向の位相符号化を少なくとも部分的に使用して、前記位相コントラスト磁気共鳴データを使用して、前記位相コントラスト磁気共鳴画像を再構築することによって受信される前記位相コントラスト磁気共鳴画像を再構築する、請求項１から３のいずれか一項に記載の医療用画像診断システム。
【請求項５】
前記医療用画像診断システムが磁気共鳴画像診断システムであり、前記メモリがタグ付けパルスシーケンスコマンド及び制御パルスシーケンスコマンドを更に収容し、前記タグ付けパルスシーケンスコマンドが、前記被験体内のタグ付け位置をスピンラベリングするタグ付け反転パルス部分を含み、前記タグ付けパルスシーケンスコマンドが位相コントラスト読出し部分を含み、前記位相コントラスト読出し部分が少なくとも１つの方向の位相コントラスト符号化を含み、前記制御パルスシーケンスコマンドが制御反転パルス部分を含み、前記制御パルスシーケンスコマンドが前記位相コントラスト読出し部分を含み、前記機械実行可能命令の実行によって更に、前記プロセッサが、
前記タグ付けパルスシーケンスコマンドを用いて前記磁気共鳴画像診断システムを制御することによって、タグ付き磁気共鳴データを獲得し、
前記制御パルスシーケンスコマンドを用いて前記磁気共鳴画像診断システムを制御することによって、対照ＡＳＬ磁気共鳴データを獲得し、
前記タグ付きＡＳＬ強度画像を再構築することによって受信される前記タグ付きＡＳＬ強度画像を、前記タグ付き磁気共鳴データを使用して再構築し、
前記対照ＡＳＬ強度画像を再構築することによって受信される前記対照ＡＳＬ強度画像を、前記対照ＡＳＬ磁気共鳴データを使用して再構築し、
前記少なくとも１つの方向の位相符号化を少なくとも部分的に使用して、前記タグ付き磁気共鳴データ及び／又は前記対照ＡＳＬ磁気共鳴データのどちらかを使用して、前記位相コントラスト磁気共鳴画像を再構築することによって受信される前記位相コントラスト磁気共鳴画像を再構築する、請求項１から３のいずれか一項に記載の医療用画像診断システム。
【請求項６】
前記タグ付け位置が単一の動脈に対して選択的である、請求項４又は５に記載の医療用画像診断システム。
【請求項７】
前記機械実行可能命令の実行によって、前記プロセッサが、所定数のタグ付け量にわたって前記タグ付き磁気共鳴データ及び対照磁気共鳴データの獲得を繰り返し、前記機械実行可能命令の実行によって、前記プロセッサが、前記所定数のタグ付け量それぞれに対して前記動脈画像を計算する、請求項６に記載の医療用画像診断システム。
【請求項８】
前記タグ付け位置が非選択的である、請求項４から７のいずれか一項に記載の医療用画像診断システム。
【請求項９】
前記磁気共鳴画像診断システムによる前記タグ付け反転パルス部分の実行によって、前記タグ付きＡＳＬ強度画像におけるタグ付け磁化移動効果がもたらされ、前記磁気共鳴画像診断システムによる前記制御反転パルス部分の実行によって、前記対照ＡＳＬ強度画像における対照磁化移動効果がもたらされ、前記タグ付け磁化移動効果が前記対照磁化移動効果によって前記動脈画像から差し引かれる、請求項４から８のいずれか一項に記載の医療用画像診断システム。
【請求項１０】
前記機械実行可能命令の実行によって、前記プロセッサが、前記位相コントラスト磁気共鳴画像と前記対照ＡＳＬ強度画像及び／又は前記タグ付きＡＳＬ強度画像との間の位置合わせを受信し、前記動脈マスク外である前記関心領域の前記少なくとも一部分内の前記位相コントラスト磁気共鳴画像のボクセルを、所定の背景値に対して特定することが、前記位置合わせを使用して少なくとも部分的に実施される、請求項１から９のいずれか一項に記載の医療用画像診断システム。
【請求項１１】
前記機械実行可能命令の実行によって更に、前記プロセッサが、前記位相コントラスト磁気共鳴画像と前記対照ＡＳＬ強度画像及び／又は前記タグ付きＡＳＬ強度画像とのボクセル間のマッピングを計算することによって、前記位相コントラスト磁気共鳴画像と前記対照ＡＳＬ強度画像及び／又は前記タグ付きＡＳＬ強度画像との間の前記位置合わせを受信する、請求項１０に記載の医療用画像診断システム。
【請求項１２】
所定の閾値を上回る部分が動脈領域であるものとして特定される前記動脈画像を、前記所定の閾値を使用して閾値化することによってか、
前記動脈画像をセグメント化することによってか、
解剖アトラスを前記動脈画像に適用することによってか、
変形可能な形状モデルを前記動脈画像に適合させることによってか、
それらの組み合わせによってかのいずれか１つにしたがって、
前記動脈マスクが前記動脈画像を使用して作成される、請求項１から１１のいずれか一項に記載の医療用画像診断システム。
【請求項１３】
プロセッサによって実行される機械実行可能命令を含むコンピュータプログラムであって、前記機械実行可能命令の実行によって、前記プロセッサが、
被験体の関心領域のタグ付きＡＳＬ強度画像を受信し、
前記被験体の前記関心領域の対照ＡＳＬ強度画像を受信し、
前記タグ付きＡＳＬ強度画像を前記対照ＡＳＬ強度画像から差し引くことによって動脈画像を構築し、
前記動脈画像の動脈を特定することによって、前記動脈画像を使用して動脈マスクを構築し、
前記被験体の前記関心領域の少なくとも一部分の位相コントラスト磁気共鳴画像を受信し、
前記動脈マスク内である前記関心領域の前記少なくとも一部分内の前記位相コントラスト磁気共鳴画像のボクセルを、所定の背景値に設定することによって、静脈画像を少なくとも部分的に構築する、コンピュータプログラム。
【請求項１４】
前記機械実行可能命令の実行によって更に、前記プロセッサが、前記動脈マスク外である前記関心領域の前記少なくとも一部分内の前記位相コントラスト磁気共鳴画像のボクセルを、所定の背景値に設定することによって、選択的位相コントラスト動脈画像を少なくとも部分的に構築する、請求項１３に記載のコンピュータプログラム。
【請求項１５】
被験体の関心領域のタグ付きＡＳＬ強度画像を受信するステップと、
前記被験体の前記関心領域の対照ＡＳＬ強度画像を受信するステップと、
前記タグ付きＡＳＬ強度画像を前記対照ＡＳＬ強度画像差し引くことによって動脈画像を構築するステップと、
前記動脈画像の動脈を特定することによって、前記動脈画像を使用して動脈マスクを構築するステップと、
前記被験体の前記関心領域の少なくとも一部分の位相コントラスト磁気共鳴画像を受信するステップと、
前記動脈マスク内である前記関心領域の前記少なくとも一部分内の前記位相コントラスト磁気共鳴画像のボクセルを、所定の背景値に設定することによって、静脈画像を少なくとも部分的に構築するステップとを含む、医療用画像診断の方法。
【手続補正２】
【補正対象書類名】明細書
【補正対象項目名】００９４
【補正方法】変更
【補正の内容】
【００９４】
コンピュータ実行可能コードは、本発明の態様をプロセッサに行わせるマシン実行可能命令又はプログラムを含んでもよい。本発明の態様に関する動作を実施するためのコンピュータ実行可能コードは、Java（登録商標）、Smalltalk（登録商標）、又はC++等のオブジェクト指向プログラミング言語及び「Ｃ」プログラミング言語又は類似のプログラミング言語等の従来の手続きプログラミング言語を含む１つ又は複数のプログラミング言語の任意の組み合わせで書かれてもよい及びマシン実行可能命令にコンパイルされてもよい。場合によっては、コンピュータ実行可能コードは、高水準言語の形態又は事前コンパイル形態でもよい及び臨機応変にマシン実行可能命令を生成するインタプリタと共に使用されてもよい。